(57)【要約】【課題】ユーザが使い慣れた可搬型オーディオ機器を接続した場合であっても、違和感を覚えることなく操作が可能な低コストのオーディオ装置およびオーディオ装置のメニュー表示方法を提供する。【解決手段】実施形態に係るオーディオ装置は、接続検知部と、文字取得部と、表示部と、表示制御部とを備える。接続検知部は、文字表記される選択肢を表示可能な表示部を備える可搬型オーディオ機器との通信接続の確立を検知する。文字取得部は、接続検知部によって通信接続の確立が検知されている間に、可搬型オーディオ機器から選択肢の表記文字を取得する。表示部は、選択肢が表示される領域を含むメニュー画面を表示する。表示制御部は、文字取得部によって取得される表記文字を領域に表示させる。【選択図】図１
2017033098.tif 000002
【特許請求の範囲】
【請求項１】
文字表記される選択肢を表示可能な表示部を備える可搬型オーディオ機器との通信接続の確立を検知する接続検知部と、
前記接続検知部によって前記通信接続の確立が検知されている間に、前記可搬型オーディオ機器から前記選択肢の表記文字を取得する文字取得部と、
選択肢が表示される領域を含むメニュー画面を表示する表示部と、
前記文字取得部によって取得される前記表記文字を前記領域に表示させる表示制御部と
を備えることを特徴とするオーディオ装置。
【請求項２】
前記文字取得部によって取得される前記表記文字を記憶する記憶部を備え、
前記表示制御部は、
前記選択肢の表記文字が前記文字取得部によって取得したものとは異なる他の可搬型オーディオ機器が接続された場合、または他のオーディオソースが再生される場合に、前記記憶部に記憶された前記表記文字を前記領域に表示させる
ことを特徴とする請求項１に記載のオーディオ装置。
【請求項３】
当該オーディオ装置固有の選択肢の表記文字を記憶する記憶部と、
当該記憶部に記憶される表示文字および前記文字取得部によって取得される表記文字から、前記領域に表示させる表記文字を選択する選択部と
を備えることを特徴とする請求項１または請求項２に記載のオーディオ装置。
【請求項４】
前記選択部は、
前記接続検知部によって前記通信接続の確立が検知されている場合に、前記文字取得部によって取得される表記文字を表示させる表記文字として選択する
ことを特徴とする請求項３に記載のオーディオ装置。
【請求項５】
ユーザによる表記文字の切替操作を受け付ける操作部
を備え、
前記選択部は、
前記文字取得部によって取得される表記文字の表示中に、前記操作部によって前記表示文字の切替操作が受け付けられる場合、前記記憶部に記憶される表示文字を表示させる表記文字として選択する
ことを特徴とする請求項３または請求項４に記載のオーディオ装置。
【請求項６】
文字表記される選択肢を表示可能な表示部を備える可搬型オーディオ機器と、選択肢が表示される領域を含むメニュー画面を表示する表示部を備えるオーディオ装置との通信接続の確立を前記オーディオ装置の接続検知部によって検知する工程と、
前記接続検知部によって前記通信接続の確立が検知されている間に、前記可搬型オーディオ機器から当該可搬型オーディオ機器固有の選択肢の表記文字を前記オーディオ装置の文字取得部によって取得する工程と、
前記文字取得部によって取得される前記表記文字を、前記オーディオ装置の表示制御部によって、前記メニュー画面を表示する表示部の前記領域に表示させる工程と
を含むことを特徴とするオーディオ装置のメニュー表示方法。
【発明の詳細な説明】
【技術分野】
【０００１】
本発明は、オーディオ装置およびオーディオ装置のメニュー表示方法に関する。
【背景技術】
【０００２】
近年、第１の装置と第２の装置とを接続し、第２の装置の表示部に表示される画面と同一の画面を第１の装置の表示部に表示させ、第１の装置から第２の装置を操作可能とするミラーリンクと呼ばれる技術がある。
【０００３】
例えば、特許文献１には、携帯端末が接続された場合に、携帯端末のメニュー画面と同一のメニュー画面を表示部に表示させ、表示部のメニュー画面から携帯端末を操作可能なミラーリンク機能を備える車載器が開示されている。
【０００４】
かかる車載器によれば、ユーザは、例えば、車載器がオーディオ装置である場合、車載器に可搬型オーディオ機器を接続し、車載器を操作することによって、可搬型オーディオ機器に記憶されている音楽を車内で楽しむことができる。
【先行技術文献】
【特許文献】
【０００５】
【特許文献１】特開２０１５−４１２４５号公報
【発明の概要】
【発明が解決しようとする課題】
【０００６】
しかしながら、ミラーリンク機能を備えるオーディオ装置は、便利ではあるが、その分ミラーリンク機能のないオーディオ装置に比べてコストが増大する。
【０００７】
そこで、オーディオ装置の表示部に、オーディオ装置固有のメニュー画面を表示させ、かかる固有のメニュー画面から可搬型オーディオ機器を操作可能とする方法もあるが、これでは、可搬型オーディオ機器のメニュー画面の操作に慣れたユーザに違和感を与える。
【０００８】
本発明は、上記に鑑みてなされたものであって、ユーザが使い慣れた可搬型オーディオ機器を接続した場合であっても、違和感を覚えることなく操作が可能な低コストのオーディオ装置およびオーディオ装置のメニュー表示方法を提供することを目的とする。
【課題を解決するための手段】
【０００９】
実施形態に係るオーディオ装置は、接続検知部と、文字取得部と、表示部と、表示制御部とを備える。接続検知部は、文字表記される選択肢を表示可能な表示部を備える可搬型オーディオ機器との通信接続の確立を検知する。文字取得部は、前記接続検知部によって前記通信接続の確立が検知されている間に、前記可搬型オーディオ機器から前記選択肢の表記文字を取得する。表示部は、選択肢が表示される領域を含むメニュー画面を表示する。表示制御部は、前記文字取得部によって取得される前記表記文字を前記領域に表示させる。
【発明の効果】
【００１０】
実施形態によれば、ユーザが使い慣れた可搬型オーディオ機器を接続した場合であっても、違和感を覚えることなく操作が可能な低コストのオーディオ装置およびオーディオ装置のメニュー表示方法を提供することができる。
【図面の簡単な説明】
【００１１】
【図１】図１は、実施形態に係るオーディオ装置のメニュー表示方法を示す説明図である。
【図２】図２は、実施形態に係るオーディオ装置の構成を示す機能ブロック図である。
【図３】図３は、実施形態に係る取得表記文字テーブルの説明図である。
【図４】図４は、実施形態に係る初期表記文字テーブルの説明図である。
【図５】図５は、実施形態に係るオーディオ装置の制御部が実行する処理を示すフローチャートである。
【図６】図６は、実施形態の変形例に係るオーディオ装置の構成を示す機能ブロック図である。
【図７】図７は、実施形態の変形例に係るオーディオ装置が記憶する接続履歴情報を示す説明図である。
【発明を実施するための形態】
【００１２】
以下に、添付図面を参照して、実施形態に係るオーディオ装置およびオーディオ装置のメニュー表示方法を詳細に説明する。なお、以下に示す実施形態によって本発明が限定されるものではない。また、以下では、車載用のオーディオ装置１を例に挙げて説明するが、実施形態に係るオーディオ装置１は、車載用に限定されるものではない。
【００１３】
図１は、実施形態に係るオーディオ装置１のメニュー表示方法を示す説明図である。図１の上段に示すように、オーディオ装置１は、メニュー画面Ｄ１等の画像を表示可能なタッチパネルタイプの表示部４を備え、車輛内で音楽等を再生する装置である。
【００１４】
また、オーディオ装置１は、例えば、オーディオ機能を備えたスマートフォンやポータブル音楽プレーヤ等の可搬型オーディオ機器と接続可能であり、表示部４に表示されるメニュー画面の操作によって可搬型オーディオ機器の操作を行うことができる。なお、オーディオ装置１と可搬型オーディオ機器とは、例えば、ＵＳＢ（Universal  Serial  Bus）ケーブルやＢｌｕｅｔｏｏｔｈ（登録商標）通信等によって接続される。
【００１５】
かかるオーディオ装置１は、可搬型オーディオ機器が接続されていない場合、オーディオ装置１固有のメニュー画面Ｄ１を表示部４に表示する。メニュー画面Ｄ１は、同図に点線長丸で示すように、再生する楽曲を選択する場合の選択肢が表示される領域を含む。
【００１６】
ここでは、オーディオ装置１は、固有のメニュー画面Ｄ１内の選択肢を表示する領域内に、選択肢として、「プレイリスト」、「アーティスト」、「曲」、および「アルバム」というカタカナまたは漢字の表記文字を表示する。また、オーディオ装置１は、メニュー画面Ｄ１内の左下に、例えば、再生ボタン、早送りボタン、巻き戻しボタン、一時停止ボタン、および停止ボタンなどの画像も表示する。
【００１７】
ここで、図１の下段に示すように、可搬型オーディオ機器１００が接続された場合のオーディオ装置１の動作について説明する。可搬型オーディオ機器１００は、文字表記される選択肢を含んだメニュー画面Ｄ２を表示可能な表示部１０１を備えている。
【００１８】
同図に示す例では、可搬型オーディオ機器１００は、可搬型オーディオ機器１００固有のメニュー画面Ｄ２を表示部１０１に表示している。具体的には、可搬型オーディオ機器１００は、固有のメニュー画面Ｄ２内に、選択肢として、「Ｐｌａｙｌｉｓｔｓ」、「Ａｒｔｉｓｔｓ」、「Ｓｏｎｇｓ」、および「Ａｌｂｕｍｓ」というアルファベットの表記文字を表示している。なお、可搬型オーディオ機器１００は、メニュー画面Ｄ２内の下部に、例えば、再生ボタン、早送りボタン、巻き戻しボタン、一時停止ボタン、および停止ボタンなどの画像も表示する。
【００１９】
このように、オーディオ装置１固有のメニュー画面Ｄ１と、可搬型オーディオ機器１００固有のメニュー画面Ｄ２とでは、選択肢の語意は同じであるが、表記文字が異なる場合がある。かかる場合に、オーディオ装置１の表示部４に、オーディオ装置１固有のメニュー画面Ｄ１を表示させると、可搬型オーディオ機器１００固有のメニュー画面Ｄ２に慣れたユーザに違和感を与えるおそれがある。
【００２０】
例えば、ユーザは、メニュー画面Ｄ２に慣れていて、アルファベットで文字表記された選択肢の語意を読解するのではなく、選択肢の文字の長さや単語の形状によって、直感的に語意を理解している場合、メニュー画面Ｄ１の選択肢に違和感を覚える。
【００２１】
そして、かかるユーザは、慣れていないメニュー画面Ｄ１を操作する場合、カタカナや漢字で表記された選択肢の単語を読解した上で操作する必要がある。このため、ユーザは、例えば車輛を運転中に、メニュー画面Ｄ１を長時間注視することができず、操作性についても違和感を覚える。
【００２２】
そこで、オーディオ装置１は、可搬型オーディオ機器１００が接続されると、図１の下段に左向白抜矢印で示すように、可搬型オーディオ機器１００から、可搬型オーディオ機器１００固有のメニュー画面Ｄ２に含まれる表記文字を取得する。
【００２３】
このとき、オーディオ装置１は、可搬型オーディオ機器１００が記憶しているオーディオ用のアプリケーションソフトのデータを取得してメニュー画面Ｄ２の画像を取得するのではなく、メニュー画面Ｄ２に含まれる表記文字のテキストデータを選択的に取得する。
つまり、オーディオ装置１は、ミラーリンク技術を使用せずに、メニュー画面Ｄ２中の表記文字を取得する。
【００２４】
そして、オーディオ装置１は、オーディオ装置１固有のメニュー画面Ｄ１に規定されている選択肢を表示する領域に、可搬型オーディオ機器１００から取得した選択肢の表記文字を表示させる。このため、メニュー画面Ｄ１とメニュー画面Ｄ２とで、選択肢の表示位置は異なるが、メニュー画面Ｄ１には、メニュー画面Ｄ２に表示されるものと同じアルファベットで文字表記された選択肢が表示される。
【００２５】
したがって、オーディオ装置１は、メニュー画面Ｄ２の方が使い慣れているユーザに、メニュー画面Ｄ１中の見慣れた表記文字を操作させることで、オーディオ装置１から可搬型オーディオ機器１００を違和感なく操作させることができる。しかも、オーディオ装置１は、ミラーリンク技術を使用するものではないので、コストの増大を抑制することができる。
【００２６】
また、オーディオ装置１は、可搬型オーディオ機器１００固有の表記文字をメニュー画面Ｄ１に表示する場合、メニュー画面Ｄ１内の右下に文字切替ボタンを表示する。そして、オーディオ装置１は、文字切替ボタンが操作された場合には、表記中の文字をオーディオ装置１固有の表記文字に切り替える。
【００２７】
これにより、オーディオ装置１は、可搬型オーディオ機器１００を接続したユーザがオーディオ装置１固有の表記文字を好む場合に、ユーザの好みに合わせた文字表記を行うことによって、ユーザに与える違和感を低減することができる。
【００２８】
次に、図２を参照して、実施形態に係るオーディオ装置１の構成および動作について説明する。図２は、実施形態に係るオーディオ装置１の構成を示す機能ブロック図である。図２に示すように、オーディオ装置１は、インターフェース（Ｉ／Ｆ）２、操作部３、表示部４、制御部５、および記憶部６を備える。
【００２９】
Ｉ／Ｆ２は、オーディオ装置１と外部機器とを接続する機器であり、例えば、ＵＳＢポート、Ｂｌｕｅｔｏｏｔｈ信号受信器、および赤外線信号受信器等を含む。Ｉ／Ｆ２は、例えば、可搬型オーディオ機器１００等の外部機器との接続状態を示す信号を制御部５へ出力する。
【００３０】
操作部３は、ユーザによるオーディオ装置１に対する各種操作を受け付けるタッチパネル装置であり、受け付けた操作に応じた信号をＩ／Ｆ２または制御部５へ出力する。表示部４は、例えば、液晶表示装置であり、制御部５から入力される画像データを表示する。これら操作部３および表示部４は、積層されてタッチパネルタイプの表示操作装置として機能する。
【００３１】
制御部５は、例えば、ＣＰＵ（Central  Processing  Unit）、ＲＯＭ（Read  Only  Memory）、およびＲＡＭ（Random  Access  Memory）を備え、オーディオ装置１全体の動作を制御する処理部である。
【００３２】
かかる制御部５は、ＣＰＵがＲＯＭから所定の動作プログラムを読み出し、ＲＡＭを作業領域として使用して実行することによって機能する接続検知部５１、文字取得部５２、選択部５３、および表示制御部５４を備える。
【００３３】
記憶部６は、例えば、ＨＤＤ（Hard  Disk  Drive）やフラッシュメモリなどの情報記憶装置であり、取得表記文字テーブル６１および初期表記文字テーブル６２等を記憶する。なお、取得表記文字テーブル６１および初期表記文字テーブル６２の一例については、図３および図４を参照して後述する。
【００３４】
かかるオーディオ装置１は、表示部１０１を備える可搬型オーディオ機器１００が接続されると、接続検知部５１がＩ／Ｆ２から入力される信号に基づいて、可搬型オーディオ機器１００との通信接続が確立されたか否かを判定する。そして、接続検知部５１は、可搬型オーディオ機器１００との通信接続が確立したと判定した場合、その旨を示す信号を文字取得部５２へ出力する。
【００３５】
文字取得部５２は、接続検知部５１から可搬型オーディオ機器１００との通信接続が確立したことを示す信号が入力されると、通信接続が確立している間に、可搬型オーディオ機器１００からＩ／Ｆ２を介して、メニュー画面Ｄ２（図１参照）に含まれる選択肢の表記文字を取得する。
【００３６】
そして、文字取得部５２は、表記文字を取得したことを示す信号を選択部５３へ出力し、取得した表記文字を記憶部６へ出力して取得表記文字テーブル６１の内容を更新する。ここで、図３を参照し、取得表記文字テーブル６１および取得表記文字テーブル６１の更新方法について説明する。
【００３７】
図３は、実施形態に係る取得表記文字テーブル６１の説明図である。図３に示すように、取得表記文字テーブル６１は、オーディオ装置１固有のメニュー画面Ｄ１（図１参照）における選択肢が表示される領域（図１の点線長丸参照）と、領域に表示させる表記文字とが対応付けられるテーブルである。
【００３８】
かかる取得表記文字テーブル６１は、初期状態では、図３の上段に示すように、表記文字が入力される記憶領域が空白となっている。そして、文字取得部５２は、可搬型オーディオ機器１００から選択肢の表記文字を取得すると、空白となっている表記文字の記憶領域へ取得した表記文字を入力し、図３の下段に示すように、取得表記文字テーブル６１の内容を更新する。
【００３９】
図３の下段に示す例では、メニュー画面Ｄ１内の領域Ａ１に「Ｐｌａｙｌｉｓｔｓ」、領域Ａ２に「Ａｒｔｉｓｔｓ」、領域Ａ３に「Ｓｏｎｇｓ」、領域Ａ４に「Ａｌｂｕｍｓ」という可搬型オーディオ機器１００固有の表記文字が対応付けられている。
【００４０】
なお、文字取得部５２が可搬型オーディオ機器１００から取得する表記文字のテキストデータは、例えばシリアルデータである。かかるシリアルデータの内容は、オーディオ装置１の設計段階において、オーディオ装置１に接続されることが想定される複数種類の可搬型オーディオ機器から事前に読み出されて解析される。
【００４１】
そして、文字取得部５２には、解析されたシリアルデータ中の表記文字の順序を示す情報、および読み出す表記文字とオーディオ装置１固有の表記文字との対応関係を示す情報が設定される。文字取得部５２は、これらの事前に設定される情報に基づいて、取得した表記文字を取得表記文字テーブル６１の対応する記憶領域へ書き込むことにより、取得表記文字テーブル６１の内容を更新する。
【００４２】
かかる文字取得部５２は、可搬型オーディオ機器１００との通信接続が切断された場合に、取得表記文字テーブル６１を初期化する。これにより、オーディオ装置１は、記憶部６の記憶領域を有効利用することができる。
【００４３】
なお、文字取得部５２は、かかる取得表記文字テーブル６１の初期化を行わない構成であってもよい。これにより、オーディオ装置１は、切断後に再度、可搬型オーディオ機器１００が接続される場合に、表記文字の表示処理を高速化することができる。
【００４４】
また、文字取得部５２は、可搬型オーディオ機器１００との通信接続が切断されてから一定期間（例えば、１週間等）が経過した場合に、取得表記文字テーブル６１の初期化を行う構成でもよい。これにより、オーディオ装置１は、長期間接続されない可搬型オーディオ機器１００の不要な表記文字を記憶部６から削除することで、記憶部６の記憶領域を有効利用することができる。
【００４５】
図２へ戻り、選択部５３は、取得表記文字テーブル６１に記憶された表記文字、および
初期表記文字テーブル６２に記憶されている表記文字のいずれか一方を選択して表示制御部５４へ出力する処理部である。
【００４６】
ここで、図４を参照して、初期表記文字テーブル６２の一例について説明する。図４は、実施形態に係る初期表記文字テーブル６２の説明図である。図４に示すように、初期表記文字テーブル６２は、オーディオ装置１固有のメニュー画面Ｄ１（図１参照）における選択肢が表示される領域（図１の点線長丸参照）と、領域に表示させるオーディオ装置１固有の表記文字とが対応付けられたテーブルである。
【００４７】
図４に示す例では、メニュー画面Ｄ１内の領域Ａ１に「プレイリスト」、領域Ａ２に「アーティスト」、領域Ａ３に「曲」、領域Ａ４に「アルバム」というオーディオ装置１固有の表記文字が対応付けられている。
【００４８】
図２へ戻り、選択部５３は、文字取得部５２から表記文字を取得したことを示す信号が入力されていない場合、初期表記文字テーブル６２に記憶された表記文字を表示制御部５４へ出力する。一方、文字取得部５２から表記文字を取得したことを示す信号が入力された場合、選択部５３は、取得表記文字テーブル６１に記憶された表記文字を表示制御部５４へ出力する。
【００４９】
また、選択部５３は、取得表記文字テーブル６１に記憶された表記文字を表示制御部５４へ出力中に、操作部３から文字切替ボタンが操作されたことを示す信号が入力された場合、初期表記文字テーブル６２に記憶された表記文字を表示制御部５４へ出力する。
【００５０】
表示制御部５４は、表示部４へ各種画像を出力して表示させる処理部である。かかる表示制御部５４は、表示部４にメニュー画面Ｄ１を表示させる場合に、選択部５３から入力される表記文字をメニュー画面Ｄ１における表記文字の表示領域へ表示させる。
【００５１】
次に、図５を参照して、オーディオ装置１の制御部５が実行する処理について説明する。図５は、実施形態に係るオーディオ装置１の制御部５が実行する処理を示すフローチャートである。オーディオ装置１の制御部５は、電源が投入されている期間、図５に示す処理を所定周期で繰り返し実行する。
【００５２】
具体的には、図５に示すように、制御部５は、電源が投入されると、まず、新規の通信接続が確立したか否かを判定する（ステップＳ１０１）。ここでの新規の通信接続とは、オーディオ装置１と可搬型オーディオ機器１００との接続のことである。
【００５３】
そして、制御部５は、新規の通信接続が確立していないと判定した場合（ステップＳ１０１，Ｎｏ）、処理をステップＳ１０６へ移す。なお、制御部５は、それまで接続されていた可搬型オーディオ機器１００との通信接続が切断された場合にも、新規の通信接続が確立していないと判定し（ステップＳ１０１，Ｎｏ）、処理をステップＳ１０６へ移す。
【００５４】
また、制御部５は、新規の通信接続が確立されたと判定した場合（ステップＳ１０１，Ｙｅｓ）、新規に接続された可搬型オーディオ機器１００からメニュー画面Ｄ２（図１参照）内の表記文字を取得する（ステップＳ１０２）。
【００５５】
続いて、制御部５は、取得した表記文字を記憶部６へ出力して、取得表記文字テーブル６１の内容を更新する（ステップＳ１０３）。その後、制御部５は、更新した取得表記文字テーブル６１から表記文字（取得表記文字）を読み出して表示部４に表示させる（ステップＳ１０４）。
【００５６】
続いて、制御部５は、表示部４に表示中の文字切替ボタンによる表記文字の切替操作があるか否かを判定する（ステップＳ１０５）。そして、制御部５は、切替操作がないと判定した場合（ステップＳ１０５，Ｎｏ）、処理をステップＳ１０７へ移す。
【００５７】
また、制御部５は、切替操作があると判定した場合（ステップＳ１０５，Ｙｅｓ）、初期表記文字テーブル６２から表記文字（初期表記文字）を読み出して表示部４に表示させる（ステップＳ１０６）。
【００５８】
その後、制御部５は、操作部３による操作があるか否かを判定する（ステップＳ１０７）。ここでの操作は、表記文字の切替操作以外の操作であり、例えば、曲の再生操作、早送り操作、巻き戻し操作、一時停止操作、停止操作などである。
【００５９】
そして、制御部５は、操作があると判定した場合（ステップＳ１０７，Ｙｅｓ）、操作に応じた処理を実行して（ステップＳ１０８）、処理を終了する。また、制御部５は、操作がないと判定した場合（ステップＳ１０７，Ｎｏ）、処理を終了する。
【００６０】
上述したように、実施形態に係るオーディオ装置は、接続検知部と、文字取得部と、表示部と、表示制御部とを備える。接続検知部は、文字表記される選択肢を表示可能な表示部を備える可搬型オーディオ機器との通信接続の確立を検知する。
【００６１】
文字取得部は、接続検知部によって可搬型オーディオ機器との通信接続の確立が検知されている間に、可搬型オーディオ機器から選択肢の表記文字を取得する。表示制御部は、文字取得部によって取得される表記文字を、メニュー画面を表示する表示部の選択肢が表示される領域に表示する。
【００６２】
これにより、オーディオ装置は、ユーザが使い慣れた可搬型オーディオ機器を接続した場合であっても、違和感を覚えることなく操作することができる。しかも、オーディオ装置は、ミラーリンク技術を使用することなく、可搬型オーディオ機器から可搬型オーディオ機器固有の表記文字を取得して表示させるので、コストが増大することを抑制することができる。
【００６３】
また、かかるオーディオ装置によれば、接続された可搬型オーディオ機器から可搬型オーディオ機器固有の表記文字を取得するので、事前に接続されることが想定される可搬型オーディオ機器固有の表記文字を記憶しておく必要がない。
【００６４】
したがって、オーディオ装置は、英語や中国語、ロシア語等、表記文字の言語が異なる可搬型オーディオ機器の接続が想定される場合に、予め多言語の表記文字を記憶しておく必要がないので、これによっても低コスト化を図ることができる。
【００６５】
また、オーディオ装置および可搬型オーディオ機器は、固有の表記文字が同一の言語であり、同一の語意であっても、その語意を表す単語が異なる場合もある。かかる場合であっても、実施形態に係るオーディオ装置は、可搬型オーディオ機器毎に異なる同意語を事前に記憶しておく必要がないので、低コスト化が可能となる。
【００６６】
また、実施形態に係るオーディオ装置は、固有の選択肢の表記文字を記憶する記憶部と、記憶部に記憶される表示文字および文字取得部によって取得される表記文字から、表示させる表記文字を選択する選択部とを備える。これにより、オーディオ装置は、状況に応じて、オーディオ装置固有の表記文字または可搬型オーディオ機器固有の表記文字を選択的に表示させることができる。
【００６７】
また、実施形態に係るオーディオ装置の選択部は、検知部によって通信接続の確立が検知されている場合に、文字取得部によって取得される表記文字を表示させる表記文字として選択する。
【００６８】
これにより、オーディオ装置は、可搬型オーディオ機器が接続される場合に、自動的に可搬型オーディオ装置固有の表記文字を表示させることにより、ユーザに違和感なく操作を行わせることができる。
【００６９】
また、実施形態に係るオーディオ装置は、ユーザによる表記文字の切替操作を受け付ける操作部を備え、選択部は、文字取得部によって取得される表記文字の表示中に、操作部によって表示文字の切替操作が受け付けられる場合、記憶部に記憶される表示文字を表示させる表記文字として選択する。これにより、オーディオ装置は、可搬型オーディオ機器固有の表記文字よりも、オーディオ装置固有の表記文字の方に慣れているユーザに、操作を行わせることができる。
【００７０】
次に、図６および図７を参照して、実施形態の変形例に係るオーディオ装置１ａについて説明する。図６は、実施形態の変形例に係るオーディオ装置１ａの構成を示す機能ブロック図であり、図７は、実施形態の変形例に係るオーディオ装置１ａが記憶する再生履歴情報６３を示す説明図である。なお、ここでは、図６に示す構成要素のうち、図２に示す構成要素と同一の構成要素については、図２に示す符号と同一の符号を付することにより、その説明を省略する。
【００７１】
図６に示すように、オーディオ装置１ａは、可搬型オーディオ機器１００，１１０という２つの機器が接続されている点、制御部５ａが車輛１２０にも接続されている点、および記憶部６が再生履歴情報６３をさらに記憶している点が図２に示すものとは異なる。
【００７２】
なお、文字取得部５２は、可搬型オーディオ機器１００，１１０の双方から、それぞれ固有の表記文字を取得し、可搬型オーディオ機器１００，１１０毎の取得表記文字テーブル６１に記憶させる。
【００７３】
これに伴い、接続検知部５１ａおよび選択部５３ａが実行する処理が図２に示すものとは異なり、その他の構成および動作は、図２に示すものと同様である。具体的には、オーディオ装置１ａの接続検知部５１ａは、可搬型オーディオ機器１００，１１０との通信接続が確立したか否かを判定する処理に加え、各可搬型オーディオ機器１００，１１０による楽曲の再生時間を計時して記憶部６へ出力し、再生履歴情報６３を更新する。
【００７４】
ここでの再生時間は、オーディオ装置１ａ、各可搬型オーディオ機器１００，１１０が楽曲を再生した累積時間である。なお、接続検知部５１ａは、定期的に再生履歴情報６３の再生時間をリセットする。接続検知部５１ａが再生時間をリセットする周期は、３か月、６か月、１２か月等、任意に設定が可能である。
【００７５】
また、図７に示すように、再生履歴情報６３は、楽曲を再生した再生装置と、その再生装置が楽曲を再生した再生時間とが対応付けられた情報である。なお、図７に示す本体は、オーディオ装置１ａを示しており、Ｍ１，Ｍ２は、それぞれ可搬型オーディオ機器１００，１１０を示している。
【００７６】
かかるオーディオ装置１ａの選択部５３ａは、文字取得部５２から表記文字を取得したことを示す信号が入力されると、再生履歴情報６３に基づき、オーディオ装置１ａ、可搬型オーディオ機器１００，１１０について、表記文字に関する優先度を判定する。
【００７７】
例えば、選択部５３ａは、オーディオ装置１ａに可搬型オーディオ機器１００，１１０が接続され、取得表記文字テーブル６１に、可搬型オーディオ機器１００，１１０固有の表記文字がそれぞれ記憶されている場合に、再生履歴情報６３を参照する。
【００７８】
そして、選択部５３ａは、例えば、図７に示す再生履歴情報６３が記憶されている場合、再生時間が５時間２６分と最も長い再生装置Ｍ１、つまり、可搬型オーディオ機器１００の優先度が最も高いと判定する。
【００７９】
かかる場合、選択部５３ａは、取得表記文字テーブル６１に記憶された再生装置Ｍ１に対応付けられた可搬型オーディオ機器１００固有の表記文字を表示制御部５４へ出力して表示部４に表示させる。
【００８０】
つまり、選択部５３ａは、ユーザがオーディオ装置１ａを使用して可搬型オーディオ機器１００、可搬型オーディオ機器１１０のどちらを操作する場合にも、優先度の高い可搬型オーディオ機器１００固有の表記文字を選択して表示させる。なお、選択部５３ａは、例えば、ユーザによる選択操作によって、優先度とは無関係に、可搬型オーディオ機器１００，１１０のいずれか一方の表記文字を選択する構成であってもよい。
【００８１】
これにより、オーディオ装置１ａは、複数の可搬型オーディオ機器１００，１１０が接続されている場合に、楽曲の再生時間が長く、ユーザが操作に慣れている可能性の高い可搬型オーディオ機器１００固有の表記文字を表示部４に表示させることができる。したがって、オーディオ装置１ａによれば、表示部４に表示される表記文字に対するユーザの違和感を低減することができる。
【００８２】
なお、ここでは、一例として、選択部５３ａが再生時間の長さに基づいて可搬型オーディオ機器１００，１１０の優先度を判断する場合について説明したが、優先度の判断基準は、接続回数、ユーザにより設定された優先度等、任意の基準であってもよい。
【００８３】
また、ここでは、オーディオ装置１ａが可搬型オーディオ機器１００，１１０の双方から、それぞれ固有の表記文字を取得して記憶部６に記憶させる場合を例に挙げたが、可搬型オーディオ機器１００，１１０のいずれか一方から表記文字を取得する構成でもよい。
【００８４】
かかる構成の場合、オーディオ装置１ａは、例えば、可搬型オーディオ機器１００が接続された場合に、可搬型オーディオ機器１００から表記文字を取得して記憶部６に記憶させる。そして、オーディオ装置１ａは、ユーザが可搬型オーディオ機器１００の表記文字をメインに使用する表記文字として選択する設定を行うと、その後、可搬型オーディオ機器１１０が接続されても、オーディオ装置１００の表記文字を表示させる。
【００８５】
つまり、オーディオ装置１ａの表示制御部５４は、選択肢の表記文字が文字取得部５２によって取得したものとは異なる他の可搬型オーディオ機器１１０が接続された場合、記憶部６に記憶された可搬型オーディオ機器１００の表記文字を表示１０１に表示させる。
【００８６】
また、かかる構成の場合、オーディオ装置１ａは、可搬型オーディオ機器１００，１１０以外の他のオーディオソースが再生される場合に、記憶部６に記憶された可搬型オーディオ機器１００の表記文字を表示１０１に表示させる構成であってもよい。
【００８７】
これにより、オーディオ装置１ａは、例えば、他のポータブルオーディオデバイスが接続された時、または他のオーディオソース（ＣＤ（Compact  Disc）、オーディオ装置１ａ内蔵のハードディスク、フラッシュメモリ、ＵＳＢメモリ等）に記憶された音声の再生時でも、最初に取得したデバイス固有の表記文字をメニュー画面に表示させることができる。
【００８８】
また、選択部５３ａは、車輛１２０から走行中であることを示す信号が入力されている期間には、表記文字の切り替えを禁止し、車輛１２０から停車していることを示す信号が入力される場合に、表記文字の切り替えを許可する。
【００８９】
これにより、オーディオ装置１ａは、車輛１２０の走行中に表記文字が切り替えられることで、ユーザが表記文字の切り替えに注意を奪われることを防止することができるので、安全性を向上させることができる。なお、車輛１２０から入力される信号に応じて、表記文字の切り替えタイミングを変更するか否かについては、操作部３の操作によって任意に設定変更が可能である。
【符号の説明】
【００９０】
１，１ａ  オーディオ装置
２  Ｉ／Ｆ
３  操作部
４  表示部
５，５ａ  制御部
５１，５１ａ  接続検知部
５２  文字取得部
５３，５３ａ  選択部
５４  表示制御部
６  記憶部
６１  取得表記文字テーブル
６２  初期表記文字テーブル
６３  再生履歴情報
１００，１１０  可搬型オーディオ機器
１０１  表示部
１２０  車輛
Ｄ１  メニュー画面
Ｄ２  メニュー画面
【図１】
2017033098.tif 000003
【図２】
2017033098.tif 000004
【図３】
2017033098.tif 000005
【図４】
2017033098.tif 000006
【図５】
2017033098.tif 000007
【図６】
2017033098.tif 000008
【図７】
2017033098.tif 000009